(57)【特許請求の範囲】
【請求項１】
平面視閉形状の外周フレーム（１１）の前後方向の中間部位を境界とする一方側に観衆が載ることのできる搭乗面（１２）と該搭乗面（１２）の他方側縁に沿って横幅方向に伸びて上記外周フレーム（１１）に至る中間フレーム（１３）とを有し、該中間フレーム（１３）が受け部構造を有し、床面又は地面に載置されるベース（１０）と、
少なくとも一辺が直線状をなす平面視閉形状の外周フレーム（２１）と該外周フレーム（２１）の中央スペースを覆う柵パネル（２２）とを有し、上記外周フレーム（２１）の直線状一辺が嵌込み部構造を有し、該外周フレーム（２１）の嵌込み部（２４）と上記ベース（１０）の中間フレーム（１３）の受け部（１８）への嵌め込み状態で上記ベース（１０）に対して垂直に起立される防護パネル（２０）と、
下端部が脱着可能な連結ピン（１４）によって上記ベース（１０）の外周フレーム（１１）の他方側の縁部（３２）に対して回転可能な取付け構造をなすとともに、上端部が上記防護パネル（２０）に対して回転可能な取付け構造をなし、上記ベース（１０）の外周フレーム（１１）の他方側の縁部（３２）と防護パネル（２０）との間に伸びて防護パネル（２０）の倒れを阻止する倒れ防止バー（３０）と、
を備え、
上記ベース（１０）はその中間フレーム（１３）にブラケット（１５Ａ）を有し、上記防護パネル（２０）はその外周フレーム（２１）の直線状一辺にブラケット（１５Ｂ）を有しており、ロック部材（１６）の上記ブラケット（１５Ａ、１５Ｂ）に対する押し込み状態又は螺挿状態で上記防護パネル（２０）の外周フレーム（２１）の嵌込み部（２４）が上記ベース（１０）の中間フレーム（１３）の受け部（１８）に対してロックされていることを特徴とするバリケード。
【請求項２】
隣接する一方の上記防護パネル（２０）及び／又はベース（１０）の回転出没可能な係止プレート（２７）と隣接する他方の上記防護パネル（２０）及び／又はベース（１０）の受け部材（２９）とが上記係止プレート（２７）の回転操作によって相互に係止される構造をなし、隣接する上記防護パネル（２０）及び／又はベース（１０）が連結可能である請求項１記載のバリケード。
【請求項３】
上記ベース（１０）の中間フレーム（１３）が断面凹状の受け部構造を有し、上記防護パネル（２０）の外周フレーム（２１）の直線状一辺が断面凸状の嵌込み部構造を有する請求項１記載のバリケード。
【請求項４】
相互に異なる方向に伸びる２つのバリケード列の間のコーナーを構成するコーナーバリケードであって、
平面視閉形状の外周フレーム（１１０）の前後方向の中間部位に横幅方向に伸びて外周フレーム（１１０）に至る中間フレームを有し、床面又は地面に載置される２枚のベース（１００）と、
少なくとも一辺が直線状をなす平面視閉形状の外周フレーム（２１０）と該外周フレーム（２１０）の中央スペースを覆う柵パネル（２２０）とを有し、上記外周フレーム（２１０）の直線状一辺と上記ベース（１００）の中間フレームとの固定状態で上記ベース（１００）に対して垂直に起立される２枚の防護パネル（２００）と、
下端部が上記２枚のベース（１００）の外周フレーム（１１０）の他方側の縁部に対して回転可能な取付け構造をなすとともに、上端部が上記防護パネル（２００）に対して回転可能な取付け構造をなし、上記ベース（１００）の外周フレーム（１１０）の他方側の縁と防護パネル（２００）との間に伸びて防護パネル（２００）の倒れを阻止する倒れ防止バー（３００）と、
２枚の防護パネル（２００）及び２枚のベース（１００）を相互に回転可能に連結しており、２枚の防護パネル（２００）及び２枚のベース（１００）を平面視Ｌ字状に保持し得る支柱（４００）と、
を備えたことを特徴とするコーナーバリケード。
【請求項５】
上記ベース（１００）は中間フレームが断面凹状の受け部構造を有し、上記防護パネル（２００）は外周フレーム（２１０）の直線状一辺に断面凸状の嵌込み部構造を有し、上記外周フレーム（２１０）の嵌込み部と上記ベース（１００）の中間フレームの受け部への嵌め込み状態で上記防護パネル（２００）が上記ベース（１００）に対して垂直に起立される請求項４記載のコーナーバリケード。
【請求項６】
バリケード列の途中に出入り口を構成する出入り口用バリケードであって、
平面視閉形状の外周フレーム（１１０）の前後方向の中間部位を境界とする一方側に観衆が載ることのできる搭乗面（１２０）と該搭乗面（１２０）の他方側縁に沿って横幅方向に伸びて外周フレーム（１１０）に至る中間フレームとを有し、床面又は地面に載置されるベース（１００）と、
少なくとも一辺が直線状をなす平面視閉形状の外周フレーム（２１０Ｂ）と該外周フレーム（２１０Ｂ）の中央スペースを覆う柵パネル（２２０Ｂ）とを有し、相互に間隔をあけた上記外周フレーム（２１０Ｂ）の直線状一辺と上記ベース（１００）の中間フレームとの連結状態で上記ベース（１００）に対して垂直に起立される左右の防護パネル（２００Ｂ）と、
下端部が上記ベース（１００）の外周フレーム（１１０）の他方側の縁に対する取付け構造をなすとともに、上端部が上記防護パネル（２００Ｂ）に対する取付け構造をなし、上記ベース（１００）の外周フレーム（１１０）の他方側の縁と防護パネル（２００Ｂ）との間に伸びて上記防護パネル（２００Ｂ）の倒れを阻止する倒れ防止バー（３００）と、
少なくとも一辺が直線状をなす外周フレーム（２１０Ａ）と該外周フレーム（２１０Ａ）の中央スペースを覆う柵パネル（２２０Ａ）とを有し、上記外周フレーム（２１０Ａ）の一方の側縁が左右いずれか一方の防護パネル（２００Ｂ）の外周フレーム（２１０Ｂ）に対して開閉可能な扉パネル（２００Ａ）と、
を備えたことを特徴とする出入り口用バリケード。
【請求項７】
上記ベース（１００）は中間フレームが断面凹状の受け部構造を有し、上記防護パネル（２００Ｂ）は外周フレーム（２１０Ｂ）の直線状一辺に断面凸状の嵌込み部構造を有し、上記外周フレーム（２１０Ｂ）の嵌込み部と上記ベース（１００）の中間フレーム（１３０）の受け部への嵌め込み状態で上記防護パネル（２００Ｂ）が上記ベース（１００）に対して垂直に起立される請求項６記載の出入り口用バリケード。
【請求項８】
上記ベース（１０）の外周フレーム（１１）は車輪取付け構造を有し、該車輪取付け構造は上記ベース（１０）の設置時には接地せず、上記ベース（１０）の傾斜時に接地し得る少なくとも２つの車輪（７０）からなっている請求項１記載のバリケード。
【発明の詳細な説明】
【技術分野】
【０００１】
本発明はバリケードに関し、特に興奮した聴衆や観衆が押し退けて演奏者、演技者あるいは競技者に近づくことを阻止できる一方、簡単に分離して持ち運ぶことができるようにしたバリケードに関する。
【背景技術】
【０００２】
例えば、演奏、演劇、競技等の各種イベントは屋外ステージ、体育館、競技場等で行われることが多いが、興奮した聴衆や観衆が演奏者、演技者あるいは競技者に近づき過ぎると事故などが懸念されることから、バリケードやフェンスなどによって演奏者、演劇者、競技者と聴衆や観衆との間を遮断することが行われている（特許文献１、特許文献２）。      
【０００３】
しかし、特許文献１記載のフェンスでは持ち運びできるものの、興奮した聴衆や観衆がフェンスを押し退けて演奏者、演技者あるいは競技者に近づくことが懸念される一方、特許文献２記載のフェンスでは支柱の下端部を基礎に埋設しているので、興奮した聴衆や観衆がフェンスを押し退けて演奏者、演技者あるいは競技者に近づくことはできないものの、持ち運ぶことができない。
【０００４】
これに対し、地上又は床面に配置される平板状のベースフレームと、ベースフレームの中間部に垂直に立設されるネットフレームと、ベースフレームとネットフレームの間に介装され、ベースフレームの上に立設したネットフレームの倒れを阻止するサイドフレームにより構成され、ベースフレームの端部にサイドフレームの下部を固定枢支ピンにより枢支し、ネットフレームの上部とサイドフレームの上部の間も固定枢支ピンにより枢支し、ネットフレームの下端はベースフレームの中間部に脱着可能な枢支ピンにより枢支し、ベースフレーム上に観衆の重さによって押し退けることを防止するとともに、枢支ピンを抜いてネットフレームをベースフレーム上に重ねて収納することができるようにしたバリケードが提案されている（特許文献３）。
【先行技術文献】
【特許文献】
【０００５】
【特許文献１】実公平６−２６２９４号公報
【特許文献２】実開平６−４０２３８号公報
【特許文献３】特許第３３１２１５３号公報
【発明の開示】
【発明が解決しようとする課題】
【０００６】
特許文献３記載のバリケードでは収納時にコンパクトに折り畳むことができるものの、常にネットフレーム、ベースフレーム及びサイドフレームが一体であるので、重くなってしまい、持ち運ぶ際の作業者の負担が大きく、機械車両によって運ぼうとすると機械車両が走行できない状況や環境では作業者の負担を解消できないという問題があった。
【０００７】
本発明はかかる問題点に鑑み、興奮した聴衆や観衆が押し退けて演奏者、演技者あるいは競技者に近づくことを阻止できる一方、簡単に分離して持ち運ぶことができるようにしたバリケードを提供することを課題とする。
【課題を解決するための手段】
【０００８】
そこで、本発明に係るバリケードは、平面視閉形状の外周フレームの前後方向の中間部位を境界とする一方側に観衆が載ることのできる搭乗面と該搭乗面の他方側縁に沿って横幅方向に伸びて上記外周フレームに至る中間フレームとを有し、該中間フレームが受け部構造を有し、床面又は地面に載置されるベースと、少なくとも一辺が直線状をなす平面視閉形状の外周フレームと該外周フレームの中央スペースを覆う柵パネルとを有し、上記外周フレームの直線状一辺が嵌込み部構造を有し、該外周フレームの嵌込み部と上記ベースの中間フレームの受け部への嵌め込み状態で上記ベースに対して垂直に起立される防護パネルと、下端部が脱着可能な連結ピンによって上記ベースの外周フレームの他方側の縁部に対して回転可能な取付け構造をなすとともに、上端部が上記防護パネルに対して回転可能な取付け構造をなし、上記ベースの外周フレームの他方側の縁部と防護パネルとの間に伸びて防護パネルの倒れを阻止する倒れ防止バーと、を備えたことを特徴とする。
【０００９】
本発明の特徴の１つは防護パネルをベースに対して嵌め込み式の取付け構造とし、倒れ防止バーをベースに対して着脱可能とし、ベースと防護パネルを分割できるようにした点にある。
これにより、作業者はベースと防護パネルを別々に持ち運べばよいので、それほど重くなく、作業の負担が少ない。
また、ベースと防護パネルとを分割すれば軽く持ち運ぶことができ、フォークリフトなどの機械車両を使用する必要がないので、屋外ステージ、体育館、競技場等、どのような場所であっても持ち運び組立てて用いることができる。
【００１０】
また、本発明の第２の特徴はベースを中間フレームによって観衆が載ることのできる搭乗面を区画し、中間フレームに防護パネルを起立させるようにした点にある。
これにより、観衆の重さによってバリケードが動くのが阻止され、興奮した聴衆や観衆が搭乗面上において防護パネルを押し退けようとしても押し退けることができない。
【００１１】
ベースの受け部構造及び保護パネルの嵌込み部構造は例えば断面半円形状の受け部及び嵌込み部、あるいは断面鋸歯状の受け部及び嵌込み部であってもよいが、観衆の押し退ける力が加わったときに力の加わる方向によって抜け出ることが懸念される。
そこで、ベースの受け部構造及び保護パネルの嵌込み部構造は力の加わる方向に対して安定した嵌め込み状態となるように断面凹状の受け部構造及び断面凸状の嵌込み部構造、より好ましくは断面矩形凹状の受け部構造及び断面矩形凸状の嵌込み部構造とするのがよい。
【００１２】
ところで、防護パネルをベースに対して嵌め込み式の取付け構造とした場合、興奮した聴衆や観衆が防護パネルを非常に大きな力や衝撃的な力で押し退けようとすると、防護パネルがベースの中間フレームから抜けることが懸念される。
かかる場合、防護パネルが抜けるのを阻止する機構が求められる。
そこで、ベースの中間フレームにブラケットを設け、防護パネルの外周フレームの直線状一辺にブラケットを設け、ロック部材、例えばロックバーやロックねじを両ブラケットに対して押し込み又は螺挿させて締付け、防護パネルの外周フレームの嵌込み部をベースの中間フレームの受け部に対してロックするのがよい。
【００１３】
バリケードは単に並べるようにしてもよいが、興奮した観衆がバリケードを押し退け難いように、隣接するバリケードを相互に連結するのがよい。
すなわち、隣接する一方の防護パネル及び／又はベースには係止プレートを回転出没可能に設け、隣接する他方の防護パネル及び／又はベースには受け部材を設け、係止プレートの回転操作によって係止プレートと受け部材を相互に係止される構造となし、隣接する防護パネル及び／又はベースとを連結可能とするのが好ましい。
ところで、係止プレートと受け部材の係止だけで興奮した観衆の押し退ける力に抗しきれない場合、係止プレートと受け部材が何らかの原因で係止できない場合が懸念される。かかる場合には例えば図１３に示されるように防護パネル及び／又はベースに雌ねじ部材を溶接等で固定し、隣接する防護パネル同士及び／又は隣接するベース同士を雄ねじ部材で連結するようにすると、上述の懸念を解消することが期待できる。
【００１４】
また、複数のバリケードを設ける場合、バリケード列を異なる方向に配列することがある。かかる場合、コーナーを構成するバリケードを備えるのがよい。
すなわち、本発明に係るコーナーバリケードは、相互に異なる方向に伸びる２つのバリケード列の間のコーナーを構成するコーナーバリケードであって、平面視閉形状の外周フレームの前後方向の中間部位に横幅方向に伸びて外周フレームに至る中間フレームを有し、床面又は地面に載置される２枚のベースと、少なくとも一辺が直線状をなす平面視閉形状の外周フレームと該外周フレームの中央スペースを覆う柵パネルとを有し、上記外周フレームの直線状一辺と上記ベースの中間フレームとの固定状態で上記ベースに対して垂直に起立される２枚の防護パネルと、下端部が上記２枚のベースの外周フレーム（２１０）の他方側の縁部に対して回転可能な取付け構造をなすとともに、上端部が上記防護パネルに対して回転可能な取付け構造をなし、上記ベースの外周フレームの他方側の縁と防護パネルとの間に伸びて防護パネルの倒れを阻止する倒れ防止バーと、２枚の防護パネル及び２枚のベースを相互に回転可能に連結しており、２枚の防護パネル及び２枚のベースを平面視Ｌ字状に保持し得る支柱と、を備えたことを特徴とする。
【００１５】
コーナーバリケードの場合、ベースと保護パネルとは上述のベースの断面凹状の受け部構造及び保護パネルの断面凸状の嵌込み部構造とによって固定構造を採用するのがよいが、ベースと保護パネルとを連結ピンやボルト・ナットで固定するようにしてもよい。
また、倒れ防止バーは上述のバリケードの場合と同様に、下端部を着脱可能な連結ピンによってベースに回転可能に連結し、上端部は防護パネルに回転可能に連結するようにしてもよいが、倒れ防止バーの上下両端部を防護パネルとベースの各々に連結するようにしてもよい。
【００１６】
また、複数のバリケードで直線状に並べた場合、警備員などが観衆側と演奏者側との間を行き来できるのがよいことから、バリケード列の途中に出入り口を設けるのがよい。
すなわち、本発明に係る出入り口用バリケードは、バリケード列の途中に出入り口を構成する出入り口用バリケードであって、平面視閉形状の外周フレームの前後方向の中間部位を境界とする一方側に観衆が載ることのできる搭乗面と該搭乗面の他方側縁に沿って横幅方向に伸びて外周フレームに至る中間フレームとを有し、床面又は地面に載置されるベースと、少なくとも一辺が直線状をなす平面視閉形状の外周フレームと該外周フレームの中央スペースを覆う柵パネルとを有し、相互に間隔をあけた上記外周フレームの直線状一辺と上記ベースの中間フレームとの連結状態で上記ベースに対して垂直に起立される左右の防護パネルと、下端部が上記ベースの外周フレームの他方側の縁に対する取付け構造をなすとともに、上端部が上記防護パネルに対する取付け構造をなし、上記ベースの外周フレームの他方側の縁と防護パネルとの間に伸びて上記防護パネルの倒れを阻止する倒れ防止バーと、少なくとも一辺が直線状をなす外周フレームと該外周フレームの中央スペースを覆う柵パネルとを有し、上記外周フレームの一方の側縁が左右いずれか一方の防護パネルの外周フレームに対して開閉可能な扉パネルと、を備えたことを特徴とする。
【００１７】
出入り口用バリケードの場合、ベースと保護パネルとは上述のバリケードの場合と同様にベースの断面凹状の受け部構造及び保護パネルの断面凸状の嵌込み部構造とによって固定構造を採用するのがよいが、ベースと保護パネルとを連結ピンやボルト・ナットで固定するようにしてもよい。
また、倒れ防止バーは上述のバリケードの場合と同様に、下端部を着脱可能な連結ピンによってベースに回転可能に連結し、上端部は防護パネルに回転可能に連結するようにしてもよいが、倒れ防止バーの上下両端部を防護パネルとベースの各々に連結するようにしてもよい。
【００１８】
ところで、バリケードは興奮した聴衆や観衆が押し退ける力に抗し得るようにある程度、例えば８０ｋｇｆ程度の自重を必要とするが、かかる場合に組み立てたバリケードを接地し直すためにバリケードを移動させようとすると、多くの作業者、例えば四角形状のベースの場合には４人の作業者がベースの四隅を持ち上げることが必要となる。
そこで、ベースを傾けたときに接地する車輪をベースに設けるようにすると、少ない作業者、例えば２人の作業者によってバリケードを持ち上げて傾かせ、車輪を接地させるようにすると移動させることができ、例えば組み立てたバリケードを設置し直す場合、少ない作業者によって適当な場所まで移動させて設置し直すことができる。また、演奏や競技の終了後にバリケードを撤去する場合に少ない作業者によって適当な場所まで移動させ、ベースと防護パネルを分離してフォークリフトなどの機械車両によって運搬することができ、経費を削減できる。
【図面の簡単な説明】
【００１９】
【図１】本発明のバリケードの好ましい実施形態における設置状態の１例を示す概略斜視図である。
【図２】上記実施形態を観衆側から見た状態の斜視図である。
【図３】上記実施形態を演奏者側から見た状態の斜視図である。
【図４】上記実施形態を示す側面図である。
【図５】上記実施形態におけるベース中間フレームの断面凹状受け部と防護パネルの断面凸状の嵌込み部の関係を示す斜視図である。
【図６】上記実施形態における係止プレートと操作ハンドルを示す斜視図である。
【図７】上記実施形態における荷重プレートを示す図である。
【図８】上記実施形態における設置状態の他の例を示す概略斜視図である。
【図９】図８の設置状態におけるコーナーバリケードを示す斜視図である。
【図１０】本発明において使用される出入り口用バリケードの実施形態を示す斜視図である。
【図１１】上記実施形態における設置状態の更に他の例を示す概略斜視図である。
【図１２】本発明において使用される運搬用ケージを示す斜視図である。
【図１３】本発明に係るバリケードの第２の実施形態を示す斜視図である。
【図１４】上記実施形態を示す要部拡大斜視図である。
【発明を実施するための形態】
【００２０】
以下、本発明を図面に示す具体例に基づいて詳細に説明する。図１ないし図１２は本発明に係るバリケードの好ましい実施形態を示す。図において、バリケード１０はベース１０、防護パネル２０及び倒れ防止バー３０から構成されている。
【００２１】
ベース１０はアルミニウム系材料を用いて製造され、ベース１０では平面視で閉じた矩形状の外周フレーム１１の前後方向の中間部位を境界とする一方側に観衆が載ることのできる搭乗面１２を構成し、搭乗面１２の他方側縁には中間フレーム１３が他方側縁に沿って横幅方向に伸びて設けられ、その両端は外周フレーム１１に固定され、又中間フレーム１３には断面矩形凹状の受け部１８の構造部分がフレーム長手方向に伸びて形成されている。
また、搭乗面１２の前端縁はスロープ状に形成し、観衆等の足元がつまずいて怪我するのを防止するようにしている。
【００２２】
他方、防護パネル２０はアルミニウム系材料を用いて製造され、防護パネル２０は平面視で閉じた矩形状の外周フレーム２１内に補強フレームを適宜間隔をあけて設け、外周フレーム２１の中央スペースを柵パネル２２で覆って構成され、外周フレーム２１の直線状底辺フレームには断面矩形凸状の嵌込み部２４の構造部分がフレーム長手方向に伸びて形成されている。
防護パネル２０の外周フレーム２１の上辺部分は断面半円弧状をなし、観衆等が触ったときに断面四角形と接触したときの違和感を感じにくくしている。
また、外周フレーム２１の上辺断面半円弧状部分には黒色テープを貼り付け、隣接するバリケードの防護パネル２０及びベース１０を連結するときに作業者が手をはさむ事故を防止するようにし、更に外周フレーム２１の上辺断面半円弧状部分にはスポンジ製カバーを被せて夏期炎天下において高温の上辺断面半円弧状部分に触れるのを防止するようにしている。
【００２３】
防護パネル２０の外周フレーム２１の凸状嵌込み部２４とベース１０の中間フレーム１３の凹状受け部１８が嵌め込まれることによって、防護パネル２０はベース１０に対して垂直に起立されている。
【００２４】
また、倒れ防止バー３０はアルミニウム系材料を用いて製造され、倒れ防止バー３０の下端部は脱着可能な連結ピン１４によってベース１０の外周フレーム１１の他方側に設けられたブラケット３２に回転可能に取付けられ、倒れ防止バー３０の上端部は防護パネル２０の上辺フレームに設けられたブラケット（図示せず）に連結ピン３３によって回転可能に取付けられており、ベース１０の外周フレーム１１の他方側のフレーム部分と防護パネル２０の上辺フレームとの間で倒れ防止バー３０が突っ張ることによって防護パネル２０の倒れが阻止されている。
【００２５】
また、ベース１０の中間フレーム１３には雌ねじを有する筒状ブラケット１５Ａが溶接などによって固定され、防護パネル２０の外周フレーム２１の直線状の底辺フレームには雌ねじを有する筒状ブラケット１５Ｂが溶接などによって固定され、両ブラケット１５Ａ、１５Ｂにはボルト１６が螺挿されて締め付けられることによって防護パネル１０の外周フレーム２１の嵌込み部２４がベース１０の中間フレーム１３の受け部１８に対して固定されて抜け止めロックされている。
【００２６】
また、ベース１０の外周フレーム１１の両側外面及び防護パネル２０の外周フレーム２１の両側外面には凹所１７、２５が形成され、一方の凹所１７、２５には係止プレート２７が回転出没可能に設けられ、他方の凹所１７、２５には係止ピン（受け部材）２９が取付けられ、係止プレート２７が操作レバー２８によって回転操作されて突出することによって係止ピン２９に係止され、これによって隣接する防護パネル２０及びベース１０が相互に連結されるようになっている。
【００２７】
また、バリケード１０の左右の倒れ防止バー３０の間にはステップ４０が後端の取付けピン（図示せず）の廻りに回転可能に取付けられ、ステップ４０は前方に回転され、その前縁が防護パネル２０の横方向に伸びる補強フレームに載置されることによって搭乗可能な状態にできるようになっている。
【００２８】
本例のバリケードを設置する場合、ベース１０を設置箇所まで運んで床面や地面上に載置し、このベース１０の中間フレーム１３の受け部１８に防護パネル２０の嵌込み部２４を嵌め込んで起立させるとともに、倒れ防止バー３０の下端部を連結ピン１４によってブラケット３２に連結する。
【００２９】
次に、ベース１０の中間フレーム１３の筒状ブラケット１５Ａと防護パネル２０の外周フレーム２１の筒状ブラケット１５Ｂにボルト１６を螺挿して締付けると、防護パネル２０をベース１０に確実に固定することができる。
【００３０】
同様に、バリケードを並べて設置し、隣接するバリケードを操作レバー２８を使用して係止プレート２７を係止ピン２９に係止させると、図１に示されるように、隣接するバリケードを相互に連結することができる。
【００３１】
この状態では聴衆や観衆はバリケードの搭乗面１２に乗ることができるが、防護パネル２０によって演奏者、演技者あるいは競技者に近づくことが規制されるので、興奮した聴衆や観衆が演奏者、演技者あるいは競技者に近づき過ぎて事故などが起こるのを未然に防止できる。
【００３２】
バリケードをばらす場合には上記と逆の作業を行えばよく、防護パネル２０をベース１０から分離させることができるので、作業者はベース１０と防護パネル２０を別々に持ち運べばよいので、それほど重くなく、作業の負担が少ない。
また、ベース１０と防護パネル２０とを分離すれば軽く持ち運ぶことができ、フォークリフトなどの機械車両を使用する必要がないので、屋外ステージ、体育館、競技場等、どのような場所であっても持ち運び組立てて用いることができる。
【００３３】
なお、本例ではベース１０の外周フレーム１１内に砂や金属粒を入れ、バリケードの重さを例えば５３ｋｇｆに調整しているが、もっと重くしたい場合には図７に示される鉄板製の重錘６０を例えば図８に示されるようにベース１０の搭乗面１２と反対側に外周フレーム１１に載せ、ボルトによって固定すれば、例えば８３ｋｇｆにすることができる。
【００３４】
図８は本実施形態における第２の設置例を示す。本例では２つのバリケードが直交するように設置され、そのコーナーにはコーナーバリケードが配置されている。コーナーバリケードは図９に示されるように、２枚のベース１００、２枚の防護パネル２００、２本の倒れ防止バー３００及び支柱４００から構成されている。
【００３５】
ベース１００はアルミニウム系材料を用いて製造され、ベース１００には平面視で閉じた矩形状の外周フレーム１１０の前後方向の中間部位を境界とする一方側に観衆が載ることのできる搭乗面１２０が構成され、搭乗面１２０の他方側縁には中間フレームが他方側縁に沿って横幅方向に伸びて設けられ、その両端は外周フレーム１１０に固定され、又中間フレームには断面矩形凹状の受け部の構造部分がフレーム長手方向に伸びて形成されている。
【００３６】
他方、防護パネル２００はアルミニウム系材料を用いて製造され、防護パネル２００は平面視で閉じた矩形状の外周フレーム２１０内に補強フレームを適宜間隔をあけて設け、外周フレーム２１０の中央スペースを柵パネル２２０で覆って構成され、外周フレーム２１０の直線状底辺フレームには断面矩形凸状の嵌込み部の構造部分がフレーム長手方向に伸びて形成されている。
【００３７】
防護パネル２００の外周フレーム２１０の凸状嵌込み部とベース１００の中間フレームの凹状受け部が嵌め込まれることによって、防護パネル２００はベース１００に対して垂直に起立されている。
【００３８】
また、倒れ防止バー３００はアルミニウム系材料を用いて製造され、倒れ防止バー３００の下端部は脱着可能な連結ピンによってベース１００の外周フレーム１１０の他方側に設けられたブラケットに回転可能に取付けられ、倒れ防止バー３００の上端部は防護パネル２００の上辺フレームに設けられたブラケットに連結ピンによって回転可能に取付けられており、ベース１００の外周フレーム１１０の他方側のフレーム部分と防護パネル２００の上辺フレームとの間で倒れ防止バー３００が突っ張ることによって防護パネル２００の倒れが阻止されている。
【００３９】
また、２枚の防護パネル２００の上端及び２枚のベース１００の中間フレーム近傍にはブラケット４１０が固定され、ブラケット４１０は支柱４００に回転自在に連結されており、２枚の防護パネル２００及び２枚のベース２００を平面視Ｌ字状に保持できるように設けられ、又コーナーバリケードと本例のバリケード列とは係止プレートと係止ピン（図６参照）によって相互に連結され、相互に異なる方向に伸びる２つのバリケード列の間のコーナーを構成することができるようになっている。
【００４０】
図１０は本実施形態における第３の設置例に用いる出入り口用バリケードを示す。本例における出入り口用バリケードはバリケード列の途中に出入り口に用いられ、ベース１００、左右の防護パネル２００Ｂ、倒れ防止バー３００及び扉パネル２００Ａから構成されている。
【００４１】
ベース１００はアルミニウム系材料を用いて製造され、ベース１００には平面視で閉じた矩形状の外周フレーム１１０の前後方向の中間部位を境界とする一方側に観衆が載ることのできる搭乗面１２０が構成され、搭乗面１２０の他方側縁には中間フレーム１３０が他方側縁に沿って横幅方向に伸びて設けられ、その両端は外周フレーム１１０に固定され、又中間フレーム１３０には断面矩形凹状の受け部の構造部分がフレーム長手方向に伸びて形成されている一方、ベース１００の他側方には通行面１５０が構成されている。
【００４２】
他方、左右の防護パネル２００Ｂはアルミニウム系材料を用いて製造され、防護パネル２００Ｂは平面視で閉じた矩形状の外周フレーム２１０Ｂの中央スペースを柵パネル２２０Ｂで覆って構成され、外周フレーム２１０の直線状底辺フレームには断面矩形凸状の嵌込み部の構造部分がフレーム長手方向に伸びて形成されている。
【００４３】
左右の防護パネル２００Ｂの外周フレーム２１０Ｂの凸状嵌込み部とベース１００の中間フレーム１３０の凹状受け部が嵌め込まれることによって、防護パネル２００Ｂはベース１００に対して垂直に起立されている。
【００４４】
また、倒れ防止バー３００はアルミニウム系材料を用いて製造され、倒れ防止バー３００の下端部は脱着可能な連結ピン１４によってベース１００の外周フレーム１１０の他方側に設けられたブラケット３２に回転可能に取付けられ、倒れ防止バー３００の上端部は防護パネル２００Ｂの上辺フレームに設けられたブラケットに連結ピンによって回転可能に取付けられており、ベース１００の外周フレーム１１０の他方側のフレーム部分と防護パネル２００Ｂの上辺フレームとの間で倒れ防止バー３００が突っ張ることによって防護パネル２００の倒れが阻止されている。
【００４５】
他方、扉パネル２００Ａはアルミニウム系材料を用いて製造され、扉パネル２００Ａは平面視で閉じた矩形状の外周フレーム２１０Ａ内に補強フレームを適宜間隔をあけて設け、外周フレーム２１０Ａの中央スペースを柵パネル２２０Ａで覆って構成され、扉パネル２００Ａの外周フレーム２１０Ａの側辺フレームが左側又は右側の防護パネル２００Ｂの外周フレーム２１０Ｂに蝶番によって開閉自在に枢支され、又扉パネル２００Ａは図１１に示される開いた状態にロックピンによってベース１００にロックできるように設けられ、又出入り口用バリケードと本例のバリケード列とは係止プレートと係止ピン（図６参照）によって相互に連結できるようになっている。
【００４６】
図１１は本実施形態における第４の設置例に用いる通行規制バリケードを示す。本例における通行規制バリケード８０は相互に平行に配置したバリケード列の間に観衆などが通行するのを規制するのに用いられるもので、アルミニウム系材料を用いて製造され、平面視で閉じた矩形状の外周フレーム８１の中央スペースを複数のバー８２で区切って構成され、通行規制バリケード８０とバリケード列とは係止プレートと係止ピン（図６参照）によって相互に連結できるようになっている。
【００４７】
図１２は本例のバリケード、コーナーバリケード、出入り口用バリケード、扉バリケードを分離した状態で格納し、通行規制バリケードを入れて運搬するのに用いられる運搬用ボックスであって、パイプ９１を外すことによってバリケードを出し入れできるようになっている。
【００４８】
図１３及び図１４は第２の実施形態を示す。図において図１ないし図１２と同一符号は同一又は相当部分を示す。本例ではベース１０の外周フレーム１１の他方側に左右一対の車輪７０が間隔をあけて取付けられ、車輪７０はベース１０の接地状態では床面や地面に接地せず、ベース１０の外周フレーム１１の一方側を持ち上げてベース１０を傾斜させた時に車輪７０が床面や地面に接地するようになっている。
【００４９】
また、防護パネル２０の外周フレーム２１の側辺部分には雌ねじを有する筒状ブラケット１５Ｃ、１５Ｄが溶接などによって固定され、両ブラケット１５Ｃ、１５Ｄにはボルトが螺挿されて締め付けられることによって隣接する防護パネル２０同士がボルト連結できるようになっており、係止プレート２７と係止ピン２９の係止だけでは興奮した聴衆の押し退ける力に抗しきれないおそれがある場合や係止プレート２７と係止ピン２９が何らかの原因で係止できない場合に対処できるようになっている。なお、ベース１０の外周フレーム１１にもボルトが螺挿されて締め付けられるブラケットを設けるようにしてもよい。
【００５０】
上述のように、バリケードは興奮した聴衆や観衆が押し退ける力に抗し得るようにある程度、例えば８３ｋｇｆ程度の自重に設定されている。例えば、組み立てたバリケードを接地し直すためにバリケードを移動させようとすると、ベース１０の四隅を４人の作業者が持ち上げて移動させる必要がある。
これに対し、本例のバリケードでは２人の作業者がベース１０の外周フレーム１１の一方側の左右の隅をもって持ち上げてベース１０の外周フレーム１１を傾けると、車輪７０が床面や地面に接地し、その状態でベース１０の外周フレーム１１を押し引きすると、ベース１０を所望の場所まで軽く移動させることができる。
例えば、組み立てたバリケードを設置し直す場合、少ない作業者によって適当な場所まで移動させて設置し直すことができる。
また、演奏や競技の終了後にバリケードを撤去する場合に少ない作業者によって適当な場所まで移動させ、ベース１０と防護パネル２０を分離してフォークリフトなどの機械車両によって運搬することができ、経費を削減できる。
【符号の説明】
【００５１】
１０      ベース
１１      外周フレーム
１２      搭乗面
１３      中間フレーム
１４      連結ピン
２０      防護パネル
２１      外周フレーム
２２      柵パネル
２７      係止プレート
２９      係止ピン（受け部材）
３０      倒れ防止バー
３２      ブラケット（縁部）
３３      連結ビン
７０      車輪
【図１】
0006748513.tif 000002
【図２】
0006748513.tif 000003
【図３】
0006748513.tif 000004
【図４】
0006748513.tif 000005
【図５】
0006748513.tif 000006
【図６】
0006748513.tif 000007
【図７】
0006748513.tif 000008
【図８】
0006748513.tif 000009
【図９】
0006748513.tif 000010
【図１０】
0006748513.tif 000011
【図１１】
0006748513.tif 000012
【図１２】
0006748513.tif 000013
【図１３】
0006748513.tif 000014
【図１４】
0006748513.tif 000015